(57)【特許請求の範囲】
【請求項１】
前端部が開口したケースと、このケースにその前端開口部から水平方向へ引き出し可能に収容されたスライド枠と、このスライド枠の上記ケースから外部に引き出し可能な前端部にそれぞれ設けられた一対のカップ受けとを備え、上記一対のカップ受けのうちの少なくとも一方が、他方と共に上記ケースに収容可能な収容位置と、この収容位置から左右方向へ変位した展開位置との間を変位可能に設けられ、上記一対のカップ受けには、上記収容位置では全体として１つのカップを保持可能で、上記展開位置ではそれぞれ１つのカップを保持可能であるカップ保持部がそれぞれ設けられ、
上記一対のカップ受けが水平な板状をなすフランジ部をそれぞれ有し、各フランジ部が上記収容位置では上記スライド枠の左右幅内において上下に重ね合わせ可能とされ、
上記一対のカップ受けの各カップ保持部が、それぞれのフランジ部を上下に貫通し、内部にカップが挿入される貫通孔と、上記カップ受けの下面に形成され、内部が上記貫通孔に連なる環状壁部と、この環状壁部の下部に形成された底部とを有し、上記一対のカップ受けのうちの下側に配置されたカップ受けのカップ保持部が上側に配置されたカップ受け側のほぼ半周にわたって開放されるように、上記下側のカップ受けのフランジ部及び環状壁部が切り欠かれ、上記上側のカップ受けのカップ保持部の環状壁部が上記下側のカップ受けのカップ保持部にその切欠き部から収容可能に形成され、上記上側のカップ受けのフランジ部の側面には、上記変位可能とされたカップ受けを上記展開位置に変位させたときに上記下側のカップ受けの切欠き部の一部を閉じてその切欠き部からカップが脱落するのを防止する脱落防止部が形成されていることを特徴とする引き出し式カップホルダ。
【請求項２】
前端部が開口したケースと、このケースにその前端開口部から水平方向へ引き出し可能に収容されたスライド枠と、このスライド枠の上記ケースから外部に引き出し可能な前端部にそれぞれ設けられた一対のカップ受けとを備え、上記一対のカップ受けのうちの少なくとも一方が、他方と共に上記ケースに収容可能な収容位置と、この収容位置から左右方向へ変位した展開位置との間を変位可能に設けられ、上記一対のカップ受けには、上記収容位置では全体として１つのカップを保持可能で、上記展開位置ではそれぞれ１つのカップを保持可能であるカップ保持部がそれぞれ設けられ、
上記一対のカップ受けが水平な板状をなすフランジ部をそれぞれ有し、各フランジ部が上記収容位置では上記スライド枠の左右幅内において上下に重ね合わせ可能とされ、
上記一対のカップ受けの各カップ保持部が、それぞれのフランジ部を上下に貫通し、内部にカップが挿入される貫通孔と、上記カップ受けの下面に形成され、内部が上記貫通孔に連なる環状壁部と、この環状壁部の下部に形成された底部とを有し、上記一対のカップ受けのうちの下側に配置されたカップ受けのカップ保持部が上側に配置されたカップ受け側のほぼ半周にわたって開放されるように、上記下側のカップ受けのフランジ部及び環状壁部が切り欠かれ、上記上側のカップ受けのカップ保持部の環状壁部が上記下側のカップ受け側のほぼ半周にわたって切り欠かれ、各カップ保持部が、上記収容位置ではそれぞれの切欠き部に臨む環状壁部の側面どうしが互いにほぼ突き当たることによって１つのカップを収容可能である１つの筒部を構成するように配置され、上記上側のカップ受けのフランジ部の側面には、上記変位可能とされたカップ受けを上記展開位置に変位させたときに上記下側のカップ受けの切欠き部の一部を閉じてその切欠き部からカップが脱落するのを防止する脱落防止部が形成されていることを特徴とする引き出し式カップホルダ。
【請求項３】
上記一対のカップ受けのうちの一方が上記スライド枠に左右方向へ回動可能に設けられており、他方のカップ受けが上記スライド枠に一体に設けられていることを特徴とする請求項１又は２に記載の引き出し式カップホルダ。
【発明の詳細な説明】
【０００１】
【発明の属する技術分野】
この発明は、主として車両の室内で使用される引き出し式のカップホルダに関する。
【０００２】
【従来の技術】
一般に、引き出し式カップホルダは、前端が開口したケースと、このケースにその前端開口部から引き出し可能に設けられたスライド枠と、このスライド枠の前端部に設けられたカップ受けとを備えており、使用時にはカップ受けをケースから手前に引き出してカップを保持させる一方、不使用時にはカップ受けをケース内に収容するようになっている。
【０００３】
【発明が解決しようとする課題】
従来のカップホルダは、一つのケースに一つのカップ受けしか設けられていない。このため、例えばカップホルダをダッシュボードの中央部に配置して、運転者と助手席の乗員との両者の使用に供する場合には、運転者と乗員とのうちの一方が使用すると他方が使用することができなくなってしまうという問題があった。
勿論、一つのケースに二つのカップ受けを左右に並べて収容可能にすれば、運転者と乗員との両者が同時にカップ受けを使用することができるが、そのようにするとケースの間口が２倍の大きさになってしまい、大きな設置空間を必要とする。このため、狭い所には設置することができなくなってしまうという問題がある。
【０００４】
【課題を解決するための手段】
上記の問題を解決するために、この発明の第１の態様は、前端部が開口したケースと、このケースにその前端開口部から水平方向へ引き出し可能に収容されたスライド枠と、このスライド枠の上記ケースから外部に引き出し可能な前端部にそれぞれ設けられた一対のカップ受けとを備え、上記一対のカップ受けのうちの少なくとも一方が、他方と共に上記ケースに収容可能な収容位置と、この収容位置から左右方向へ変位した展開位置との間を変位可能に設けられ、上記一対のカップ受けには、上記収容位置では全体として１つのカップを保持可能で、上記展開位置ではそれぞれ１つのカップを保持可能であるカップ保持部がそれぞれ設けられ、上記一対のカップ受けが水平な板状をなすフランジ部をそれぞれ有し、各フランジ部が上記収容位置では上記スライド枠の左右幅内において上下に重ね合わせ可能とされ、上記一対のカップ受けの各カップ保持部が、それぞれのフランジ部を上下に貫通し、内部にカップが挿入される貫通孔と、上記カップ受けの下面に形成され、内部が上記貫通孔に連なる環状壁部と、この環状壁部の下部に形成された底部とを有し、上記一対のカップ受けのうちの下側に配置されたカップ受けのカップ保持部が上側に配置されたカップ受け側のほぼ半周にわたって開放されるように、上記下側のカップ受けのフランジ部及び環状壁部が切り欠かれ、上記上側のカップ受けのカップ保持部の環状壁部が上記下側のカップ受けのカップ保持部にその切欠き部から収容可能に形成され、上記上側のカップ受けのフランジ部の側面には、上記変位可能とされたカップ受けを上記展開位置に変位させたときに上記下側のカップ受けの切欠き部の一部を閉じてその切欠き部からカップが脱落するのを防止する脱落防止部が形成されていることを特徴としている。
【０００５】
上記の問題を解決するために、この発明の第２の態様は、前端部が開口したケースと、このケースにその前端開口部から水平方向へ引き出し可能に収容されたスライド枠と、このスライド枠の上記ケースから外部に引き出し可能な前端部にそれぞれ設けられた一対のカップ受けとを備え、上記一対のカップ受けのうちの少なくとも一方が、他方と共に上記ケースに収容可能な収容位置と、この収容位置から左右方向へ変位した展開位置との間を変位可能に設けられ、上記一対のカップ受けには、上記収容位置では全体として１つのカップを保持可能で、上記展開位置ではそれぞれ１つのカップを保持可能であるカップ保持部がそれぞれ設けられ、上記一対のカップ受けが水平な板状をなすフランジ部をそれぞれ有し、各フランジ部が上記収容位置では上記スライド枠の左右幅内において上下に重ね合わせ可能とされ、上記一対のカップ受けの各カップ保持部が、それぞれのフランジ部を上下に貫通し、内部にカップが挿入される貫通孔と、上記カップ受けの下面に形成され、内部が上記貫通孔に連なる環状壁部と、この環状壁部の下部に形成された底部とを有し、上記一対のカップ受けのうちの下側に配置されたカップ受けのカップ保持部が上側に配置されたカップ受け側のほぼ半周にわたって開放されるように、上記下側のカップ受けのフランジ部及び環状壁部が切り欠かれ、上記上側のカップ受けのカップ保持部の環状壁部が上記下側のカップ受け側のほぼ半周にわたって切り欠かれ、各カップ保持部が、上記収容位置ではそれぞれの切欠き部に臨む環状壁部の側面どうしが互いにほぼ突き当たることによって１つのカップを収容可能である１つの筒部を構成するように配置され、上記上側のカップ受けのフランジ部の側面には、上記変位可能とされたカップ受けを上記展開位置に変位させたときに上記下側のカップ受けの切欠き部の一部を閉じてその切欠き部からカップが脱落するのを防止する脱落防止部が形成されていることを特徴としている。
【０００６】
この発明の第１、第２の態様においては、上記一対のカップ受けのうちの一方が上記スライド枠に左右方向へ回動可能に設けられており、他方のカップ受けが上記スライド枠に一体に設けられていることが望ましい。
【００１０】
【発明の実施の形態】
以下、この発明の一実施の形態について図面を参照して説明する。なお、図１はこの発明に係るカップホルダのカップ受けをケースから引き出して展開させた状態を示す斜視図、図２はカップ受けをケースから引き出して重ね合わせた状態を示す斜視図、図３はカップホルダの分解斜視図である。
【００１１】
このカップホルダは、ケース１と、スライド枠２と、カップ受け５とを主な構成要素としている。これらケース１、スライド枠２およびカップ受け５は、樹脂によって成形可能であるが、ケース１については強度の面から金属板によって構成してもよい。
【００１２】
ケース１は、高さが低く、左右の幅がカップ１個分より若干広い偏平な箱形に形成されている。ケース１の前端は開口しており、そこが引き出し口（開口部）１ａになっている。また、ケース１の下壁中央部には、前端から後方に延びる切欠き１ｂが形成されている。このように構成されたケース１は、例えば車両のダッシュボードの中央部に水平な姿勢で組み込まれる。
【００１３】
スライド枠２は、水平な板部２ａを有しており、この板部２ａの左右両側部には前後方向に延びるガイド部２ｂ，２ｃが形成されている。このガイド部２ｂ，２ｃがケース１の左右両側部によって案内されることにより、スライド枠２がケース１に前後方向へスライド自在に支持されている。ただし、スライド枠２は、手前側へ所定位置まで引き出すと、ケース１とスライド枠２との間に設けられた停止機構（図示せず）によって停止され、それ以上引き出せないようになっている。以下、その位置を使用位置という。
【００１４】
上記スライド枠２の板部２ａには、スライド枠２を使用位置まで引き出したときにケース１から外部に出る前端部に、カップ受け部（カップ受け）３が一体に設けられている。このカップ受け部３は、板部２ａに連続する板状のフランジ部３ａを有しており、このフランジ部３ａはその全体がケース１に収容可能になっている。
【００１５】
フランジ部３ａには、カップ保持部４が形成されている。このカップ保持部４は、フランジ部３ａを上下に貫通する断面円形の貫通孔４ａと、フランジ部３ａの下面に一体に形成され、内周面が貫通孔４ａの内周面に連続する環状壁部４ｂと、この環状壁部４ｂの下端部に設けられた底部４ｃとを有しており、環状壁部４ｂの内周面および底部４ｃとによって上端が開口し、下端に底を有する保持孔４ｄが構成されている。そして、この保持孔４ｄの上端開口部から挿入されたカップ（図示せず）を底部４ｃで受け止めて保持するようになっている。
【００１６】
カップ保持部４には、上記フランジ部３ａの左側部および環状壁部４ｂの左側部をそれぞれ切り欠くことによって切欠き部４ｅが形成されている。この切欠き部４ｅが形成されることにより、カップ保持部４の左側のほぼ半周にわたる部分が開放されている。なお、底部４ｃは切り欠かれておらず、円形の状態になっている。
【００１７】
上記カップ受け５は、平板状をなすフランジ部５ａを有している。このフランジ部５ａの左後端側の下面には軸部５ｂが形成されている。この軸部５ｂは、上記スライド枠２の板部２ａの左側部に形成された孔２ｄに回動自在に嵌合されるとともに、ビス７およびワッシャ８によって孔２ｄから抜け止めされている。これにより、カップ受け５がスライド枠２の上面に回動自在に支持されるとともに、前後方向へは一体に移動するように連結されている。カップ受け４の回動範囲は、フランジ部５ａがスライド枠２の左右幅内においてカップ受け部３のフランジ部３ａの上に重なった収容位置（図２に示す回動位置）と、フランジ部５ａが左方へ回動してそのほぼ全体がカップ受け部３およびスライド枠２から左方に離間した展開位置（図１に示す回動位置）との間に規制されている。収容位置は後述する構成によって規制されており、展開位置はカップ受け５の左側面がスライド枠２の左側のガイド部２ｂの前端部に突き当たることによって規制されている。
【００１８】
上記カップ受け５のフランジ部５ａは、収容位置に回動させるとカップ受け部３の上にスイライド枠２の左右の幅内において重なるので、カップ受け部３とともにケース１内に収容可能である。この収容位置においては、フランジ部５ａの左側部に形成されたガイド部５ｃがスライド枠２のガイド部２ｂと一直線上に並ぶ、このガイド部５ｃがケース１の左側部内を摺動することにより、カップ受け５を案内するようになっている。しかも、フランジ部５ａの前端部には蓋５ｄが形成されており、スライド枠２、カップ受け部３およびカップ受け５をケース１に収容すると、蓋５ｄがケース１の前端部に突き当たって引き出し口１ａを閉じるとともに、スライド枠２、カップ受け部３およびカップ受け５がそれ以上ケース１に入り込むのを阻止するようになっている。
【００１９】
また、フランジ部５ａの右側面の後端部には、略四半分の円弧状をなす脱落防止部５ｅが形成されている。この脱落防止部５ｅは、その曲率半径が貫通孔４ａの内径とほぼ同一になっており、カップ受け５を展開位置に回動させると、カップ受け部３のカップ保持部４の保持孔４ｄ（貫通孔３ａ）の内周面に対して周方向に連続するように配置されている。この結果、保持孔４ｄの上端部があたかも３／４円程度の長さを有するような状況になる。したがって、カップ保持部４に挿入されたカップが切欠き部４ｅから脱落するのを防止することができる。
【００２０】
さらに、フランジ部５ａの中央部には、カップ保持部６が形成されている。このカップ保持部６は、フランジ部５ａを上下に貫通する断面円形の貫通孔６ａと、フランジ部５ａの下面に一体に形成され、内周面が貫通孔６ａの内周面に連続する環状壁部６ｂと、この環状壁部６ｂの下端部に設けられた底部６ｃとを有しており、環状壁部６ｂの内周面および底部６ｃとによって上端が開口し、下端に底を有する保持孔６ｄが構成されている。そして、この保持孔６ｄの上端開口部から挿入されたカップ（図示せず）を底部６ｃで受け止めて保持するようになっている。なお、カップ保持部６は、カップ保持部４と同一寸法に形成されている。つまり、カップ保持部６の環状壁部６ｂおよび保持孔６ｄはカップ保持部４の環状壁部４ｂおよび保持孔４ｄと同一寸法に形成されている。
【００２１】
カップ保持部６には、環状壁部６ｂの右側部および底部６ｃの右側をそれぞれ切り欠くことによって切欠き部６ｅが形成されている。この切欠き部６ｅが形成されることにより、環状壁部の右側のほぼ半周にわたる部分が開放されている。また、カップ受け５を収容位置まで回動させると、環状壁部６ｂの切欠き部６ｅに臨む両側面が環状壁部４ｂの切欠き部４ｅに臨む両側面に突き当たる。この結果、上記保持孔４ｄ，６ｄが互いの軸線をほぼ一致させるとともに、２つの環状壁部４ｂ，６ｂがあたかも１つの筒を構成する。したがって、環状壁部４ｂ，６ｂを突き合わせた状態では、カップ保持部６だけがカップを保持可能になり、カップ保持部４はその環状壁部４ｂが環状壁部６ｂの開放部分を閉じるためにのみ機能する。
【００２２】
なお、環状壁部４ｂ，６ｂの両側面どうしが突き当たることによって、カップ受け５の収容位置が規制されており、収容位置においては底部６ｃが底部４ｃの上に重なり、互いに突き当たることはない。また、カップ受け５を収容位置に回動させた状態でスライド枠２、カップ受け部３およびカップ受け５全体をケース１に収容させると、環状壁部４ｂ，６ｂがケース１の切欠き部１ｂに入り込むようになっている。
【００２３】
次に、上記構成のカップホルダを使用する場合について説明する。
いま、スライド枠２、カップ受け部３およびカップ受け５がケース１内に収容されているものとする。この状態からカップホルダを使用するには、まず蓋５ｄに手を掛けて使用位置まで引き出す。
【００２４】
カップホルダを１カップ用として使用する場合は、カップ受け５がカップ受け部３の上に重なった状態のままにし、保持孔６ｄにカップを挿入し、底部６ｃの上に載せる。
【００２５】
カップホルダを２カップ用として使用する場合は、カップ受け５を展開位置まで回動させる。すると、カップ受け５がカップ受け部３から左側に外れるので、各保持孔４ｄ，６ｄにカップをそれぞれ挿入可能になり、挿入したカップを底部４ｃ，６ｃに載置する。
【００２６】
カップホルダの使用後にカップ受け部３およびカップ受け５をケース１内に収納する場合は、まずカップ受け５を展開位置から収容位置に回動させる。すると、カップ受け部３およびカップ受け５がスライド枠２の幅内に収まる。その後、蓋５ｄをケース１に突き当たるまで押し、カップ受け部３およびカップ受け５をケース１内に収納する。
【００２７】
上記のカップホルダによれば、カップ受け部３とカップ受け５とを有しているので、例えばカップホルダをダッシュボードの中央部に配置した場合には、運転者と補助席の乗員との両者が同時に使用することができる。
しかも、カップ受け部３およびカップ受け５に切欠き部４ｅ，６ｅを形成して相互の干渉をなくすことにより、カップ受け５を収容位置に回動させたときにあたかも１つのカップ受けしか存在しないように構成しているので、２つのカップを保持することができるにも拘わらずケース１の間口を１つのカップに対応した狭いものにすることができる。したがって、小さな間口寸法しかとれないような狭いスペースにも設置することができる。
また、カップ受け５を収容位置に回動させた状態においては、環状壁部４ｂが環状壁部６ｂの切欠き部６ｅを閉じるので、保持孔６ｄにカップ以外の小物を入れることもできる。
【００２８】
なお、この発明は上記の実施の形態に限定されるものでなく、適宜変更可能である。
例えば、上記の実施の形態においては、カップ受け部３をスライド枠２に一体に形成しているが、カップ受け５と同様にスライド枠２と別体に形成し、スライド枠２に回動可能に設けてもよい。あるいは、カップ受け部３回動可能にする場合には、カップ受け５をスライド枠２と一体に形成してもよい。さらに、カップ受け部３とカップ受け５との少なくとも一方を、スライド枠２に対して左右方向へ直線変位可能に設けてもよい。
【００２９】
また、カップ受け部３およびカップ受け５に環状壁部４ｂ，６ｂを設け、それぞれのフランジ部３ａ，５ａの板厚より深い保持孔４ｄ，６ｄを形成しているが、フランジ部３ａ，５ａにそれぞれの板厚より浅い凹部を形成し、各凹部にカップを載置するようにしてもよい。そのようにした場合には、ケース１に切欠き部１ｂを形成する必要がない。また、使用するカップが下細りのテーパ状をなすものである場合には、環状壁部４ｂ，６ｂおよび底部４ｃ，６ｃを形成することなく、貫通孔４ａ，６ａの内周面によってカップを保持させるようにしてもよい。
【００３０】
さらに、上記の実施の形態においては、カップ受け部３の環状壁部４ｂおよび底部４ｃとカップ受け５の環状壁部６ｂおよび底部６ｃとを同一寸法にしているが、カップ受け５の環状壁部６ｂおよび底部６ｃをカップ受け部４ｂおよび底部４ｃより小さくして、切欠き部４ｅから保持孔４ｄ内に環状壁部４ｂ，６ｂの軸線がほぼ一致するまで挿入可能にし、それによってカップ受け５を収容位置に回動させたときに、１つのカップ受けだけが存在するかのように構成してもよい。そのようにした場合には、切欠き部６ｅを形成する必要がない。
【００３１】
【発明の効果】
以上説明したように、請求項１〜６に係る発明によれば、２つのカップを保持することができるのは勿論のこと、ケースの間口を１つのカップ分に対応した狭いものにすることができる。したがって、小さな間口寸法しかとれないような狭いスペースにも設置することができる。
【図面の簡単な説明】
【図１】この発明に係るカップホルダの一実施の形態についてカップ受けを展開位置に回動させた状態で示す斜視図である。
【図２】同実施の形態についてカップ受けを収容位置に回動させた状態で示す斜視図である。
【図３】同実施の形態の分解斜視図である。
【符号の説明】
１  ケース
１ａ  引き出し口（開口部）
２  スライド枠
３  カップ受け部（カップ受け）
３ａ  フランジ部
４  カップ保持部
４ａ  貫通孔
４ｂ  貫通壁部
４ｃ  底部
４ｅ  切欠き部
５  カップ受け
５ａ  フランジ部
６  カップ保持部
６ａ  貫通孔
６ｂ  環状壁部
６ｃ  底部
６ｅ  切欠き部
【図１】
0003813678.tif 000002
【図２】
0003813678.tif 000003
【図３】
0003813678.tif 000004